(57)【要約】【課題】  簡易かつ安価な構成により、被計量物の供給方向に交差する方向に配置された複数の計量ヘッドに対し、ばらつきなくほぼ均等に被計量物を振り分けることが可能な組合せ計量装置を提供する。【解決手段】  組合せ計量装置１０は、複数の計量ヘッド１１ａ〜１１ｆとバケットコンベア１２と搬送部１３と集合シュート１４とを備えている。搬送部１３は、チャージホッパ１５と振動フィーダ１６とを備えており、バケットコンベア１２から排出された被計量物を計量ヘッド１１ａ〜１１ｆの方向へ搬送する。組合せ計量装置１０は、バケットコンベア１２から排出された被計量物を計量ヘッド１１ａ〜１１ｆまで搬送するチャージホッパ１５内に、山形シュート２０ａと平形シュート２０ｂとを有する分散シュート２０を備えている。【選択図】      図２
2005140713.tif 000002
【特許請求の範囲】
【請求項１】
被計量物が供給される方向に交差する方向に配置された複数の計量ヘッドと、
前記複数の計量ヘッドに対して前記被計量物を供給する供給部と、
前記複数の計量ヘッドと前記供給部との間に設けられている搬送部と、
を備え、
前記搬送部は、前記被計量物が供給される方向に交差する方向に前記被計量物を分散させる分散部を有しており、
前記分散部は、前記被計量物が供給される方向に交差する方向において両端に向かって傾斜する２つの傾斜面からなる第１振分部と、前記２つの傾斜面の間に形成されており、前記交差する方向において傾斜していない非傾斜面からなる第２振分部と、
を有している、
組合せ計量装置。
【請求項２】
前記第２振分部は、前記第１振分部の２つの傾斜面が交差する交差線上に配置された平板部材である、
請求項１に記載の組合せ計量装置。
【請求項３】
前記第２振分部は、取り替え可能である、
請求項１または２に記載の組合せ計量装置。
【請求項４】
前記被計量物が供給される方向に交差する方向において、前記第２振分部の巾は前記第１振分部よりも短い、
請求項１から３のいずれか１項に記載の組合せ計量装置。
【請求項５】
前記第１振分部は、略三角錐形状である、
請求項１から４のいずれか１項に記載の組合せ計量装置。
【請求項６】
前記第１振分部は、取り替え可能である、
請求項１から５のいずれか１項に記載の組合せ計量装置。
【請求項７】
前記供給部は、前記分散部を中心に前記被計量物を落下させる、
請求項１から６のいずれか１項に記載の組合せ計量装置。
【発明の詳細な説明】
【技術分野】
【０００１】
本発明は、供給された被計量物を複数の計量ヘッドに振り分けた後、各計量ヘッドにおいて被計量物を計量し、組合せ計量を行う組合せ計量装置に関する。
【背景技術】
【０００２】
従来より、被計量物の供給方向に交差する方向に配置された複数の計量ヘッドに対してバケットやコンベヤ等の供給部から被計量物を供給し、各計量ヘッドにおいて行われた計量結果に基づいて組合せ計量を行う組合せ計量装置が用いられている。
この組合せ計量装置は、計量を行う複数の計量ヘッドに対してほぼ均等に被計量物を振り分けるために、供給部と複数の計量ヘッドとの間に、例えば、図５に示すような分散シュート１００を設けている。
【０００３】
分散シュート１００は、図５に示すように略三角錐形状の部品であって、頂点から延びる辺のうちの一辺が供給部の方向に向くように配置されている。これにより、上記略三角錐形状における一辺の両側の傾斜面１０１ａ，１０１ｂを用いて、複数の計量ヘッドのうち、両端に配置された計量ヘッドに対しても被計量物を振り分けることが可能になる。
しかし、このような分散シュート１００では、両端に配置された計量ヘッドに対して被計量物を振り分けることが可能になるものの、反対に中央部付近に配置された計量ヘッドに対して被計量物を振り分けにくくなるという問題がある。また、この問題を２つの傾斜面１０１ａ，１０１ｂの傾斜角度を調整することで解決しようとした場合でも、中央部付近の計量ヘッドに被計量物を振り分けるために傾斜角度を緩やかにすると両端の計量ヘッドに被計量物が振り分けられなくなる。一方、両端の計量ヘッドに被計量物を振り分けるために傾斜角度をきつくすると中央部付近の計量ヘッドに被計量物を振り分けることができなくなる。このように、２つの傾斜面１０１ａ，１０１ｂのみを用いて被計量物を振り分ける場合には、複数の計量ヘッドのそれぞれに対して被計量物を均等に振り分けることが困難であり、組合せ不良が発生して、装置の稼働率を低下させてしまうという問題があった。
【０００４】
このような問題を解決する組合せ計量装置として、例えば、特許文献１に開示された組合せ計量装置がある。
特許文献１に開示された組合せ計量装置では、略三角錐形状の弁（分散シュート）を左右に移動させる。このように、被計量物の供給量に対応させて弁を左右に移動させることで、複数の計量ヘッドのそれぞれに対してほぼ均等に被計量物を振り分けることが可能になる。
【特許文献１】特公平２−５７８４７号公報（平成２年１２月６日公開）
【発明の開示】
【発明が解決しようとする課題】
【０００５】
しかしながら、上記公報に開示された組合せ計量装置では、以下に示すような問題点を有している。
すなわち、上記公報に開示された組合せ計量装置では、供給ホッパからの排出量を検出して弁を左右に移動可能とすることで、被計量物の供給方向に交差する方向に配置された複数の計量ヘッドに対して、ほぼ均等に被計量物を振り分けている。しかし、このように弁を移動可能にするためには、弁を移動させる駆動源や制御用ソフト等の移動機構が必要となることから、装置が複雑化するとともにコストアップの要因となる。さらに、弁を左右に移動させる駆動部位の存在によって形成される隙間に被計量物が滞留して駆動部位が停止し、計量工程を行うことができなくなる、その隙間に雑菌が発生して不衛生になる等の問題が発生することも考えられる。
【０００６】
本発明の課題は、簡易かつ安価な構成により、被計量物の供給方向に交差する方向に配置された複数の計量ヘッドに対し、ばらつきなくほぼ均等に被計量物を振り分けることが可能な組合せ計量装置を提供することにある。
【課題を解決するための手段】
【０００７】
請求項１に記載の組合せ計量装置は、複数の計量ヘッドと、供給部と、搬送部とを備えている。複数の計量ヘッドは、被計量物が供給される方向に交差する方向に配置されている。供給部は、複数の計量ヘッドに対して被計量物を供給する。搬送部は、複数の計量ヘッドと供給部との間に設けられている。また、搬送部は、被計量物が供給される方向に交差する方向に被計量物を分散させる分散部を有している。また、分散部は、第１振分部と第２振分部とを有している。第１振分部は、被計量物が供給される方向に交差する方向において両端に向かって傾斜する２つの傾斜面である。第２振分部は、２つの傾斜面の間に形成されており、被計量物が供給される方向に交差する方向には傾斜していない非傾斜面である。
【０００８】
ここでは、被計量物が供給される方向に交差する方向に配置された複数の計量ヘッドのそれぞれに対して被計量物を供給する搬送部が、被計量物が供給される方向に交差する方向に分散させる分散部を有している。そして、この分散部が、２つの傾斜面からなる第１振分部と、第１振分部を構成する２つの傾斜面の間に設けられた非傾斜面からなる第２振分部を備えている。
【０００９】
従来の組合せ計量装置では、被計量物が供給される供給部の供給口の直下に、被計量物が供給される方向に交差する方向において中央から両端に向かって傾斜する２つの傾斜面からなる分散シュートを備え、被計量物の供給方向に交差する方向に配置された計量ヘッドに対して均等に被計量物を振り分けている。しかし、この第１振分部では、被計量物の供給方向に交差する方向において両端に向かって傾斜する２つの傾斜面によって、上記複数の計量ヘッドのうち、両端に配置された計量ヘッドに対しては被計量物を振り分けることができるものの、逆に中央付近に配置された計量ヘッドには被計量物を振り分けにくくなるという問題がある。
【００１０】
そこで、本発明の組合せ計量装置では、被計量物の供給方向に交差する方向に配置された複数の計量ヘッドのうち、中央付近に配置された計量ヘッドにも被計量物が振り分けられるように、分散部が第１振分部を構成する２つの傾斜面の間に非傾斜面からなる第２振分部を有している。
このように、分散部において、２つの傾斜面と非傾斜面とを組み合わせることで、供給部から排出された被計量物は、非傾斜面と２つの傾斜面との上に落下する。このうち、第２振分部の非傾斜面上の被計量物は、そのまま非傾斜面上を滑って中央部付近に配置された計量ヘッドに振り分けられる。一方、２つの傾斜面上の被計量物は、傾斜面上を滑ってそれぞれの端部方向へ移動することで両側に配置された計量ヘッドに振り分けられる。これにより、従来の組合せ計量装置のような可動式の弁を設けなくても、簡易かつ安価な構成により、どの位置に配置された計量ヘッドにも均等に被計量物を振り分けることが可能になる。
【００１１】
請求項２に記載の組合せ計量装置は、請求項１に記載の組合せ計量装置であって、第２振分部は、第１振分部の２つの傾斜面が交差する交差線上に配置された平板部材である。
ここでは、第１振分部に平板部材を取り付けるだけで容易に第２振分部を形成することができる。
請求項３に記載の組合せ計量装置は、請求項１または２に記載の組合せ計量装置であって、第２振分部は、取り替え可能である。
【００１２】
ここでは、被計量物の種類や供給部からの供給条件等に応じて、非傾斜面の幅が異なる第２振分部に取り替えることができる。これにより、どんな種類の被計量物であってもほぼ均等に被計量物を各計量ヘッドに振り分けることができる。さらに、第２振分部を取り外し可能とすることで清掃性が向上して、ホッパ内を常に清潔に保つことができる。
請求項４に記載の組合せ計量装置は、請求項１から３のいずれか１項に記載の組合せ計量装置であって、被計量物が供給される方向に交差する方向において、第２振分部の巾は、第１振分部よりも短い。
【００１３】
ここでは、被計量物が供給される方向に交差する方向において、第２振分部が第１振分部よりも小さくなるように第２振分部を構成している。このため、非傾斜面上からこぼれた被計量物を２つの傾斜面によって両サイドの計量ヘッドにも振り分けることができる。
請求項５に記載の組合せ計量装置は、請求項１から４のいずれか１項に記載の組合せ計量装置であって、第１振分部は、略三角錐形状である。
【００１４】
ここでは、略三角錐形状の頂点から延びる一辺を供給部の中心位置の延長線上に配置している。これにより、中心から両側に傾斜する２つの傾斜面を備えた第１振分部を構成することができる。
請求項６に記載の組合せ計量装置は、請求項１から５のいずれか１項に記載の組合せ計量装置であって、第１振分部は、取り替え可能である。
【００１５】
ここでは、被計量物の種類や供給部からの供給条件等に応じて、２つの傾斜面の傾斜角度が異なる第１振分部に取り替えることができる。これにより、どんな種類の被計量物であってもほぼ均等に被計量物を各計量ヘッドに振り分けることができる。
請求項７に記載の組合せ計量装置は、請求項１から６のいずれか１項に記載の組合せ計量装置であって、供給部は、分散部を中心に被計量物を落下させる。
【００１６】
ここでは、第２振分部を中心として直接被計量物を落下させることで、そのまま非傾斜面上を滑って中央部付近に配置された計量ヘッドにも被計量物が供給されるとともに、非傾斜面からこぼれた被計量物を、第１振分部を構成する２つの傾斜面により両サイドの計量ヘッドにも振り分けることができる。このため、複数の計量ヘッドのそれぞれに対してほぼ均等に被計量物を振り分けることができる。
【発明の効果】
【００１７】
本発明の組合せ計量装置によれば、２つの傾斜面と非傾斜面とを組み合わせることで、供給部から排出された被計量物を、非傾斜面と２つの傾斜面とに分散させることができるため、簡易かつ安価な構成により、被計量物の供給方向に交差する方向に配置された全ての計量ヘッドに対して均等に被計量物を振り分けることが可能になる。
【発明を実施するための最良の形態】
【００１８】
［組合せ計量装置全体の構成］
本発明の一実施形態に係る組合せ計量装置１０は、図１〜図３に示すように、被計量物が供給される方向に交差する方向に配置された複数の計量ヘッド１１ａ〜１１ｇを備えている直線タイプの組合せ計量装置である。
本実施形態の組合せ計量装置１０は、図３に示すように、複数の計量ヘッド１１ａ〜１１ｇとバケットコンベア（供給部）１２と搬送部１３と集合シュート１４とを備えている。
【００１９】
計量ヘッド１１ａ〜１１ｇは、上部が開口しているコップ型の容器１７ａ〜１７ｇを有しており、その容器１７ａ〜１７ｇに供給された被計量物の計量を行う。
バケットコンベア１２は、図３に示すように、搬送部１３が有するチャージホッパ１５の直上まで被計量物が入れられたバケット１２ａを搬送し、その位置でバケット１２ａを回転させて、計量ヘッド１１ａ〜１１ｇに対して被計量物を供給する。
【００２０】
搬送部１３は、チャージホッパ１５と振動フィーダ１６とを備えており、バケットコンベア１２から排出された被計量物を計量ヘッド１１ａ〜１１ｇの方向へ搬送する。
集合シュート１４は、図示しない制御部において計量ヘッド１１ａ〜１１ｇに供給された被計量物の重量データを用いて行われた組合せ計量結果に基づいて、所望の計量ヘッド１１ａ〜１１ｇから排出された被計量物を集合させて、直下に設けられた容器等に排出する。
【００２１】
〔計量ヘッド〕
計量ヘッド１１ａ〜１１ｇは、それぞれ上部が開口した容器１７ａ〜１７ｇと、この容器１７ａ〜１７ｇの直下に設けられたロードセル１８ａ〜１８ｇとを備えている。これにより、容器１７ａ〜１７ｇに入れられた被計量物の重量を、ロードセル１８ａ〜１８ｇを用いて計量することができる。また、計量ヘッド１１ａ〜１１ｇは、被計量物が供給される方向に直交する方向において一直線上に配置されている。なお、計量ヘッド１１ａ〜１１ｇの配置は、被計量物の供給方向に直交する方向に限定されるのもではなく、交差する方向であればよい。
【００２２】
さらに、計量ヘッド１１ａ〜１１ｇは、図示しない制御部において行われる組合せ演算の結果に基づく排出指示があるまで被計量物を入れたまま待機する。そして、制御部における組合せ計量結果に基づいて排出指示があった計量ヘッド１１ａ〜１１ｇの容器１７ａ〜１７ｇから被計量物を排出する。これにより、計量ヘッド１１ａ〜１１ｇのそれぞれに入れられた被計量物に対応する６つの重量データを用いて組合せ計量を行うことができる。
【００２３】
〔バケットコンベア〕
バケットコンベア１２は、図３に示すように、バケット１２ａを備え、チャージホッパ１５の直上から被計量物を排出するための搬送装置である。
バケット１２ａは、上部が開口した幅４００ｍｍ、奥行き２００ｍｍの大きさの容器である。バケット１２ａは、チャージホッパ１５の直上まで搬送された後、被計量物の供給方向に向かって開口部が下になるように回転し、チャージホッパ１５に対して被計量物を排出する。
【００２４】
〔搬送部〕
搬送部１３は、バケットコンベア１２から排出された被計量物を計量ヘッド１１ａ〜１１ｇまで搬送する搬送機構である。そして、搬送部１３は、チャージホッパ１５と振動フィーダ１６とを備えている。
チャージホッパ１５は、上下に開口を有するステンレス製の部材であって、バケットコンベア１２の排出位置の直下に配置されている。そして、バケットコンベア１２から排出された被計量物を、図３に示す傾斜面１５ａを利用してチャージホッパ１５の直下に設けられた振動フィーダ１６まで搬送する。
【００２５】
また、チャージホッパ１５は、後述する分散シュート（分散部）２０を内部に備えている。そして、被計量物は、バケットコンベア１２によって分散シュート２０の平形シュート２０ｂが落下中心となるように排出される。
振動フィーダ１６は、チャージホッパ１５から搬送された被計量物を受けて、計量ヘッド１１ａ〜１１ｇまで搬送するトラフ１６ａ〜１６ｇを備えている。
【００２６】
このトラフ１６ａ〜１６ｇは、各計量ヘッド１１ａ〜１１ｇのそれぞれに対応して設けられており、図示しない電磁機構によって振動が与えられる。これにより、トラフ１６ａ〜１６ｇ上に載置された被計量物を計量ヘッド１１ａ〜１１ｇの方向へ搬送して、計量ヘッド１１ａ〜１１ｇの上部から被計量物を落下させることができる。
〔分散シュート〕
分散シュート２０は、バケットコンベア１２から排出された被計量物を、その供給方向に交差する方向に分散させる部材である。そして、分散シュート２０は、図１および図３に示すように、チャージホッパ１５内の被計量物を搬送するための傾斜面１５ａにおける上部に配置されている。また、分散シュート２０は、図４に示すように、山形シュート（第１振分部）２０ａと、この山形シュート２０ａ上に設けられた平形シュート（第２振分部）２０ｂとを有している。
【００２７】
山形シュート２０ａは、略三角錐形状の部材であって、三角錐の頂点から延びる１つの辺が被計量物の供給方向に対して平行になるように配置されている。また、この山形シュート２０ａは、上記のように配置されることにより、被計量物の供給方向に交差する方向において外側に向かって傾斜する２つの傾斜面２０ｃ，２０ｄを有する。この２つの傾斜面２０ｃ，２０ｄは、バケットコンベア１２から排出された被計量物を、その供給方向に交差する方向に分散させる役割を担っている。
【００２８】
平形シュート２０ｂは、略三角錐形状の山形シュート２０ａにおける被計量物の供給方向に対して平行な辺（交差線）上に交換可能な状態で取り付けられている巾２００ｍｍ程度の平板（平板部材）である。このように、山形シュート２０ａ上における２つの傾斜面２０ｃ，２０ｄの間に平板を載せるだけで、容易に２つの傾斜面２０ｃ、２０ｄに加えて非傾斜面を備えた分散シュート２０を得ることができる。
【００２９】
なお、平形シュート２０ｂが取り付けられている山形シュート２０ａの辺には、図４に示すように、巾２０ｍｍの平滑部２０ｅが形成されている。平形シュート２０ｂは、その平滑部２０ｅに形成された穴に、平形シュート２０ｂの取り付け側の面に形成された雄ねじを差し込んで山形シュート２０ａの裏面からボルトで固定される。また、この平形シュート２０ｂは、被計量物の供給方向に直交する方向おいては傾斜していないが、被計量物の供給方向においては計量ヘッド１１ａ〜１１ｇ側に傾斜している。これにより、バケットコンベア１２から排出された被計量物を計量ヘッド１１ａ〜１１ｇ側に滑らせて搬送することができる。また、被計量物の供給方向に直交する方向において、平形シュート２０ｂの巾は、山形シュート２０ａの巾（約４００ｍｍ）よりも小さい。これにより、バケットコンベア１２から平形シュート２０ｂ上を中心に排出された被計量物を、山形シュート２０ａの２つの傾斜面２０ｃ，２０ｄおよび平形シュート２０ｂの非傾斜面の双方によって、複数の計量ヘッド１１ａ〜１１ｇに対してほぼ均等に振り分けることができる。
［本組合せ計量装置の特徴］
（１）
本実施形態の組合せ計量装置１０では、バケットコンベア１２から排出された被計量物を計量ヘッド１１ａ〜１１ｇまで搬送するチャージホッパ１５内に、山形シュート２０ａと平形シュート２０ｂとを有する分散シュート２０を備えている。そして、バケットコンベア１２は、チャージホッパ１５内に被計量物を排出する。
【００３０】
ここで、平形シュート２０ｂ上に落下した被計量物は、そのまま平形シュート２０ｂ上を計量ヘッド１１ａ〜１１ｇ方向に滑り落ちる。このため、被計量物の供給方向に交差する方向に配置された計量ヘッド１１ａ〜１１ｇのうち、中央付近に配置されている計量ヘッド１１ｃ〜１１ｅ等に振り分けられることになる。
一方、山形シュート２０ａ上に落下した被計量物や平形シュート２０ｂ上に落下した後で平形シュート２０ｂ上からこぼれ落ちた被計量物は、山形シュート２０ａが有する２つの傾斜面２０ｃ，２０ｄによって両サイドに配置された計量ヘッド１１ａ，１１ｂ，１１ｆ，１１ｇ等に振り分けられる。
【００３１】
本実施形態の組合せ計量装置１０では、以上のように、山形シュート２０ａと平形シュート２０ｂとを組み合わせて分散シュート２０を構成している。このため、複数の計量ヘッド１１ａ〜１１ｇのうち、両端の計量ヘッド１１ａ，１１ｂ，１１ｆ，１１ｇ等に被計量物が振り分けられにくい、あるいは中央付近の計量ヘッド１１ｃ〜１１ｅに被計量物が振り分けられにくいといった不具合を解消し、いずれの計量ヘッド１１ａ〜１１ｇに対してもほぼ均等に被計量物を振り分けることが可能になる。
【００３２】
（２）
本実施形態の組合せ計量装置１０では、分散シュート２０を構成する平形シュート２０ｂが取り替え可能となっている。
これにより、被計量物の種類、性状や、バケットコンベア１２からの被計量物の供給条件等に応じて、巾の異なる非傾斜面を有する平形シュート２０ｂに交換することができる。よって、被計量物の種類等の条件に関係なく、複数の計量ヘッド１１ａ〜１１ｇに対してそれぞれ均等に被計量物を振り分けることができる。
【００３３】
また、平形シュート２０ｂを取り外すことができるため、チャージホッパ１５内の清掃性が向上して、煎餅や飴等の食品類を取り扱うような場合でも常に清潔な状態で組合せ計量を行うことが可能になる。
（３）
本実施形態の組合せ計量装置１０では、分散シュート２０を構成する山形シュート２０ａが取り替え可能となっている。
【００３４】
これにより、被計量物の種類、性状や、バケットコンベア１２からの被計量物の供給条件等に応じて、傾斜面２０ｃ，２０ｄの傾斜角度が異なる山形シュート２０ａに交換することができる。よって、被計量物の種類等の条件に関係なく、複数の計量ヘッド１１ａ〜１１ｇに対してそれぞれ均等に被計量物を振り分けることができる。
また、平形シュート２０ｂとともに山形シュート２０ａも取り外しが可能であるため、チャージホッパ１５内の清掃性が向上して、煎餅や飴等の食品類を取り扱うような場合でも常に清潔な状態で組合せ計量を行うことが可能になる。
【００３５】
（４）
本実施形態の組合せ計量装置１０では、バケットコンベア１２が、搬送部１３が有するチャージホッパ１５内に設けられた分散シュート２０の平形シュート２０ｂが落下中心位置となるように被計量物を排出する。
これにより、被計量物は、平形シュート２０ｂを中心として山形シュート２０ａ上にも排出される。その結果、平形シュート２０ｂ上に落下した被計量物は、そのまま平形シュート２０ｂの非傾斜面上を滑って計量ヘッド１１ｃ〜１１ｅの方向へ搬送される。一方、山形シュート２０ａ上に落下した被計量物、あるいは平形シュート２０ｂ上に落下した後で山形シュート２０ａ上に滑り落ちてきた被計量物は、山形シュート２０ａの２つの傾斜面２０ｃ，２０ｄによって被計量物の供給方向に交差する方向に分散され、計量ヘッド１１ａ，１１ｂ，１１ｆ，１１ｇに向かって搬送される。
【００３６】
このように、本実施形態の組合せ計量装置１０によれば、バケットコンベア１２から排出される被計量物を、チャージホッパ１５内に設けられた分散シュート２０の平形シュート２０ｂを中心に落下させることで、計量ヘッド１１ａ〜１１ｇのいずれにもほぼ均等に被計量物を振り分けることができる。
［他の実施形態］
以上、本発明の一実施形態について説明したが、本発明は上記実施形態に限定されるものではなく、発明の要旨を逸脱しない範囲で種々の変更が可能である。
【００３７】
（Ａ）
上記実施形態では、分散シュート２０が、山形シュート２０ａと山形シュート２０ａ上に設けられた平形シュート２０ｂとで構成されている例を挙げて説明した。しかし、本発明はこれに限定されるものではない。例えば、平形シュート２０ｂのように平板部材としてではなく、山形シュート２０ａが有する２つの傾斜面２０ｃ，２０ｄの間に形成された非傾斜面を有する部材であれば、上記と同様の効果を得ることができる。
【００３８】
また、分散シュート２０は、上記実施形態のように２つの部材を組み合わせて構成されている必要はなく、両端に向かって傾斜する２つの傾斜面とその間に形成された非傾斜面とがあれば、１つの部材であってもよい。
（Ｂ）
上記実施形態では、分散シュート２０の山形シュート２０ａが、略三角錐形状である例を挙げて説明した。しかし、本発明は、山形シュート２０ａが略三角錐形状でなくても、少なくとも２つの傾斜面２０ｃ，２０ｄを有していれば、形状について限定されるものではない。例えば、三角錐形状の傾斜面２０ｃ，２０ｄ以外の面であって、計量ヘッド１１ａ〜１１ｇ側に対面する残り１つの面がない山形シュート２０ａであってもよい。
【００３９】
（Ｃ）
上記実施形態では、分散シュート２０を計量ヘッド１１ａ〜１１ｇの配置方向における中心位置の延長線上に配置し、分散シュート２０の山形シュート２０ａを構成する２つの傾斜面２０ｃ，２０ｄが左右対称である例を挙げて説明した。しかし、本発明はこれに限定されるものではない。例えば、分散シュート２０を上記中心位置の延長線上から左右いずれかにずらして配置する場合には、平形シュート２０ｂの非傾斜面の左右に位置する２つの傾斜面２０ｃ，２０ｄが非対称であってもよい。この場合、２つの傾斜面２０ｃ，２０ｄの傾斜角度や面積を異なるものとして構成された山形シュート２０ａは、その上に落下した被計量物を傾斜角度等に応じて左右非対称に分散させることができる。
【００４０】
（Ｄ）
上記実施形態では、被計量物の供給部として、バケットコンベア１２を用いている例を挙げて説明した。しかし、本発明はこれに限定されるものではない。例えば、ベルトコンベアや電磁フィーダ等の他の搬送装置を用いてもよい。
【産業上の利用可能性】
【００４１】
本発明の組合せ計量装置は、上部から排出された物品を巾方向に均等に振り分けることができることから、組合せ計量装置に限らず、他の装置に対しても適用可能である。
【図面の簡単な説明】
【００４２】
【図１】本発明の一実施形態にかかる組合せ計量装置を示す斜視図。
【図２】図１の組合せ計量装置の平面図。
【図３】図１の組合せ計量装置の側面図。
【図４】図１の組合せ計量装置が有している分散シュートを示す斜視図。
【図５】従来の組合せ計量装置が備えている分散シュートの斜視図。
【符号の説明】
【００４３】
１０            組合せ計量装置
１１ａ〜１１ｇ  計量ヘッド
１２            バケットコンベア（供給部）
１２ａ          バケット
１３            搬送部
１４            集合シュート
１５            チャージホッパ
１５ａ          傾斜面
１６            振動フィーダ
１６ａ〜１６ｇ  トラフ
１７ａ〜１７ｇ  容器
１８ａ〜１８ｇ  ロードセル
２０            分散シュート（分散部）
２０ａ          山形シュート（第１振分部）
２０ｂ          平形シュート（第２振分部）
２０ｃ・２０ｄ  傾斜面
２０ｅ          平滑部
【図１】
2005140713.tif 000003
【図２】
2005140713.tif 000004
【図３】
2005140713.tif 000005
【図４】
2005140713.tif 000006
【図５】
2005140713.tif 000007